(57)【要約】【課題】構成や制御が複雑化するのを抑えながら排熱の利用効率を向上できる吸収式冷温水機を提供する。【解決手段】排ガスを発生する機器からの排ガスを熱源とする排ガス焚き再生器１と、排ガス焚き再生器１に排ガスを通流させる排ガス流路１３、１５と、吸収器９から排ガス焚き再生器１に稀溶液を導く稀溶液管路２５の、この稀溶液管路２５を通流する稀溶液の流れに対して上流側に設けられて濃溶液と熱交換を行う低温熱交換器４９と、稀溶液管路２５の、この稀溶液管路２５を通流する稀溶液の流れに対して下流側に設けられて中間濃溶液と熱交換を行う高温熱交換器４７と、排ガス流路１３、１５に設けられ、稀溶液管路２５の低温熱交換器４９と高温熱交換器４７との間の部分を通流する稀溶液と排ガス流路１３、１５を通流する排ガスとの間で熱交換を行う排ガス熱回収器５１とを備えた構成とする。【選択図】        図１
2004239558.tif 000002
【特許請求の範囲】
【請求項１】
排ガスを発生する機器からの排ガスを熱源とする排ガス焚き再生器と、該排ガス焚き再生器に排ガスを通流させる排ガス流路と、吸収器から前記排ガス焚き再生器に稀溶液を導く稀溶液管路の、該稀溶液管路を通流する稀溶液の流れに対して上流側に設けられて濃溶液と熱交換を行う低温熱交換器と、前記稀溶液管路の、該稀溶液管路を通流する稀溶液の流れに対して下流側に設けられて中間濃溶液と熱交換を行う高温熱交換器と、前記排ガス流路に設けられ、前記稀溶液管路の前記低温熱交換器と前記高温熱交換器との間の部分を通流する稀溶液と前記排ガス流路を通流する排ガスとの間で熱交換を行う排ガス熱回収器とを備えた吸収式冷温水機。
【請求項２】
前記排ガス焚き再生器と前記排ガス熱回収器とが一体のユニットとして形成されていることを特徴とする請求項１に記載の吸収式冷温水機。
【請求項３】
前記低温再生器と、凝縮器と、前記吸収器と、蒸発器とを含んで一体に形成された第１のユニットの上に、前記排ガス焚き再生器と前記排ガス熱回収器とを一体に形成した第２のユニットを載置したことを特徴とする請求項１に記載の吸収式冷温水機。
【発明の詳細な説明】
【０００１】
【発明の属する技術分野】
本発明は、吸収式冷温水機に係り、特に、排ガスを熱源とする排ガス焚き再生器を備えた吸収式冷温水機に関する。
【０００２】
【従来の技術】
排ガスを熱源とする排ガス焚き再生器を備えた吸収式冷温水機では、排ガスからの熱の回収率、つまり排熱源から発生する排熱の利用効率を向上させるため、排ガス焚き高温再生器と、排ガス焚き低温再生器または補助再生器との２つの排ガスの熱を利用する再生器を設けることが提案されている（例えば、特許文献１、２、３参照）。これらの吸収式冷温水機では、排ガス焚き高温再生器に加えて、排ガス焚き低温再生器または補助再生器でも、稀溶液などの溶液を排ガスの熱で加熱して、冷媒蒸気と濃溶液を生成するものであり、一般的に１重２重効用と呼ばれるサイクルとなっている。
【０００３】
一方、ガスエンジンやディーゼルエンジンなどの排熱のように、排ガスと冷却水に回収された熱という２つの形態の排熱を排出する排熱源に対しても、これらの排熱を利用する吸収式冷凍機が提案されている（例えば、特許文献４、５参照）。特許文献４には、排ガスを高温再生器の熱源として用い、冷却水で回収された熱を稀溶液で顕熱回収するサイクルが示されている。特許文献５には、排ガスを高温再生器の熱源として使い、冷却水に回収した熱を低温再生器で使う、一重二重効用の吸収式冷凍機が示されている。
【０００４】
【特許文献１】
特開平１１−３０４２７４号公報（第３−４頁、第１図）
【特許文献２】
実開２００１−２８９５２９号公報（第３−４頁、第１図）
【特許文献３】
特開２００２−１６２１３１号公報（第４−６頁、第１図）
【特許文献４】
実開２０００−４６４３５号公報（第３−７頁、第１、２図）
【特許文献５】
実開２００１−１８３０２８号公報（第６頁、第２図）
【０００５】
【発明が解決しようとする課題】
ところで、従来の吸収式冷温水機のように、排熱源からの排ガスまたは熱回収した冷却水を熱源とする低温再生器や補助再生器を設けた１重２重効用サイクルの構成では、排ガスが有する排熱量が変化したときに、溶液流量や濃度などのサイクルバランスを維持するのが難しい。このため、溶液の濃度が濃くなり過ぎ晶析が発生してしまう場合がある。
【０００６】
これに対して、特許文献３では、排ガス焚き高温再生器と補助再生器とを互いに並列に設置し、共に稀溶液を加熱して濃溶液と冷媒蒸気を生成する独立した排ガス焚き再生器を２基有した状態の構成とすることが提案されている。しかし、このような構成とすると、濃溶液と稀溶液との間で熱交換を行う熱交換器を増設したり、配管の本数が増えるなど構成が複雑化している。一方、特許文献５では、溶液流量や濃度などのサイクルバランスを維持するための制御を行う制御装置を設けることを提案しているが、制御が複雑化してしまう。このような構成や制御の複雑化は、コストなどの増大を招くため好ましくない。
【０００７】
また、特許文献４では、熱源機からの冷却水と、低温熱交換器から出て高温熱交換器に入る前の稀溶液との間で熱交換を行うことにより、熱源機の冷却により温度上昇した冷却水の熱を稀溶液に顕熱として回収することが提案されている。この場合、冷却水の熱を顕熱で稀溶液へ回収するため、稀溶液の温度は冷却水の温度以上には上昇できない。つまり、熱回収した冷却水入口温度と低温熱交換器で濃溶液で加熱された後の稀溶液との温度差は、比較的小さい。例えば、稀溶液の低温熱交換器出口温度が約７４℃であるのに対して冷却水の入口温度は９０℃程度であるため、稀溶液を７４℃程度から最高で９０℃以下程度にしか昇温することができない。このため、冷却水が有する熱量は十分であったとしても、冷却水から稀溶液へ回収できる熱量には限界があり、排熱源から発生する排熱の利用効率は向上し難い。したがって、特許文献４でも、熱源機の冷却により温度上昇した冷却水を低温再生器へ導く１重２重効用サイクルが提案されており、この場合、前述したように構成や制御の複雑化を招いてしまう。
【０００８】
本発明の課題は、構成や制御の複雑化を抑えながら吸収式冷温水機の排熱の利用効率を向上することにある。
【０００９】
【課題を解決するための手段】
本発明の吸収式冷温水機は、排ガスを発生する機器からの排ガスを熱源とする排ガス焚き再生器と、この排ガス焚き再生器に排ガスを通流させる排ガス流路と、吸収器から排ガス焚き再生器に稀溶液を導く稀溶液管路の、この稀溶液管路を通流する稀溶液の流れに対して上流側に設けられて濃溶液と熱交換を行う低温熱交換器と、稀溶液管路の、この稀溶液管路を通流する稀溶液の流れに対して下流側に設けられて中間濃溶液と熱交換を行う高温熱交換器と、排ガス流路に設けられ、稀溶液管路の低温熱交換器と高温熱交換器との間の部分を通流する稀溶液と排ガス流路を通流する排ガスとの間で熱交換を行う排ガス熱回収器とを備えた構成とすることにより上記課題を解決する。
【００１０】
このような構成とすれば、排ガスと稀溶液との間で熱交換を行うため、排ガスが排ガス焚き再生器に通流後であっても、排ガスは比較的高い温度を保っているため、排ガスと低温熱交換器を出た稀溶液との温度差は比較的大きい。このため、顕熱であっても、稀溶液に排ガスから回収できる熱量が増大し、排熱源から発生する排熱の利用効率を向上できる。一方、排ガスと稀溶液との間で顕熱として熱交換を行う熱交換器を排ガスの流路に設けるだけで済み、さらに、溶液流量や濃度などのサイクルバランスを維持するための制御を行う必要がない。このため、構成や制御が複雑化するのを抑えることができる。したがって、構成や制御が複雑化するのを抑えながら排熱の利用効率を向上できる。
【００１１】
さらに、排ガス焚き再生器と排ガス熱回収器とが一体のユニットとして形成されている構成とすれば、構成の複雑化をさらに抑えることができる。
【００１２】
また、排ガス熱回収器内に形成された稀溶液が通流する稀溶液流路の入口を排ガスが通流する排ガス流路の排ガスの流れに対して下流側に、稀溶液流路の出口を排ガス流路の排ガスの流れに対して上流側に設けた構成とする。このような構成とすれば、排ガス熱回収器での熱回収率を向上でき、排熱の利用効率をより向上できる。
【００１３】
さらに、排ガス熱回収器の稀溶液が通流する稀溶液流路が並行に配置された複数の直管状の伝熱管を有し、この伝熱管は、横方向に配設された構成とする。このような構成とすれば、顕熱で熱を回収する排ガス熱回収器の構成を簡素化でき、コストを低減できる。
【００１４】
また、低温再生器と、凝縮器と、吸収器と、蒸発器とを含んで一体に形成された第１のユニットの上に、排ガス焚き再生器と排ガス熱回収器とを一体に形成した第２のユニットを載置した構成とする。このような構成とすれば、第１のユニットは、排ガス焚き再生器と排ガス熱回収器とを有する第２のユニットの発生する熱を受け難く、故障の要因を低減することができる。
【００１５】
【発明の実施の形態】
（第１の実施形態）
以下、本発明を適用してなる吸収式冷温水機の第１の実施形態について図１を参照して説明する。図１は、本発明を適用してなる吸収式冷温水機の概略構成を示す図である。
【００１６】
本実施形態の吸収式冷温水機は、図１に示すように、排ガス焚き再生器１、低温再生器３、凝縮器５、蒸発器７、そして吸収器９などで構成されている。排ガス焚き再生器１は、燃焼による排ガスを発生する機器類などからの排ガスと稀溶液との間で熱交換を行い、排ガスが有する熱で稀溶液を加熱し冷媒蒸気と濃溶液を生成するものである。このような排ガス焚き再生器１は、低温再生器３、凝縮器５、蒸発器７、そして吸収器９などからなるユニット１１の下側または側方に設置されている。
【００１７】
排ガス焚き再生器１には、燃焼による排ガスを発生する機器類などから排ガスを排ガス焚き再生器１内の排ガスの流路に導く流路となる導入ダクト１３、そして、排ガス焚き再生器１内の排ガスの流路から排ガスを排出するための流路となる排出ダクト１５が連結されている。導入ダクト１３と排出ダクト１５とは、導入ダクト１３から分岐し、排出ダクト１５に合流してバイパス流路となるバイパスダクト１７で連結されている。導入ダクト１３とバイパスダクト１７との分岐部には、導入ダクト１３とバイパスダクト１７とに排ガスの流れを切り換えるダンパーなどを含む流路切換手段１９が設けられている。バイパスダクト１７と排出ダクト１５との合流部２１よりも排ガスの流れに対して上流側の排出ダクト１５の部分には、排出ダクト１５内の排ガスの通流を遮断するダンパーなどを含む遮断手段２３が設けられている。このように、導入ダクト１３と排出ダクト１５とは、該排ガス焚き再生器に排ガスを通流させる排ガス流路を形成している。
【００１８】
このような排ガス焚き再生器１には、吸収器９で濃溶液に冷媒蒸気が吸収されることで生成された希溶液を排ガス焚き再生器１内の稀溶液の流路に導く稀溶液管路２５が連結されている。稀溶液管路２５の吸収器９からの出口部分には、稀溶液を送液するためのポンプ２７が設けられている。排ガス焚き再生器１の上部には、排ガス焚き再生器１内で生成された冷媒蒸気と濃溶液が通流する揚液管路２９の一端が連結されており、揚液管路２９の他端は、冷媒蒸気と濃溶液とを分離する気液分離器３１に連結されている。
【００１９】
低温再生器３内には、気液分離器３１内と連通し、気液分離器３１内で分離された冷媒蒸気が通流する熱交換用流路３ａが設置されている。熱交換用流路３ａには、低温再生器３で加熱された熱交換用流路３ａ内を通流する冷媒蒸気を凝縮器５に導く冷媒蒸気管路３３が連結されている。また、低温再生器３には、気液分離器３１の底部に一端が連結された中間濃溶液管路３５の他端が連結されている。さらに、低温再生器３には、中間濃溶液管路３５から流入してきた中間濃溶液を、熱交換用流路３ａ内を通流する冷媒蒸気の熱で加熱して濃溶液とした後、吸収器９に送るための濃溶液管路３７の一端が連結されている。濃溶液管路３７の他端は、吸収器９に連結されている。
【００２０】
凝縮器５の内部には、冷却水が通流する冷却水管路３９に連結されて冷却水の流路の一部分を形成する熱交換流路５ａが設けられている。凝縮器５の底部には、冷媒蒸気が凝縮して液化した冷媒液が通流する冷媒液管路４１の一端が連結されている。冷媒液管路４１の他端は、蒸発器７の内部に設けられた図示していない冷媒散布部に連結されている。蒸発器７の内部には、蒸発器７内で冷却または加温されて空調用の室内機などに送られる室内機用冷媒、例えば水が通流する冷温水管路４３が連結されて、室内機用冷媒となる水の流路の一部分を形成する熱交換流路７ａが設けられており、図示していない冷媒散布部が、熱交換流路７ａに冷媒を散布する。
【００２１】
吸収器９は、図１には図示されていないが、実際には蒸発器７と連通しており、蒸発器７で発生した冷媒蒸気が吸収器９に流入可能に構成されている。吸収器９の内部には、冷却水管路３９に連結されて冷却水の流路の一部分を形成する熱交換流路９ａが設けられている。また、吸収器９の内部には、濃溶液管路３７が連結されて熱交換流路９ａに濃溶液を散布する図示していない濃溶液散布部などが設けられている。吸収器９の底部には、蒸発器７で生成された冷媒蒸気を濃溶液が吸収することで生成された希溶液を排ガス焚き再生器１に送るための稀溶液管路２５の一端が連結されている。
【００２２】
中間濃溶液管路３５には、稀溶液管路２５から分岐した分岐管路４５が合流している。また、中間濃溶液管路３５の気液分離器３１と分岐管路４５の合流部との間の部分には、稀溶液管路２５内を通流する稀溶液と、中間濃溶液管路３５内を通流する溶液との間で熱交換を行うための高温熱交換器４７が設けられている。なお、高温熱交換器４７は、稀溶液管路２５の分岐管路４５との分岐部よりも稀溶液の流れに対して下流側の部分に設けられている。稀溶液管路２５のポンプ２７よりも稀溶液の流れに対して下流側で分岐管路４５との分岐部よりも上流側の部分には、稀溶液管路２５内を通流する稀溶液と濃溶液管路３７内を通流する濃溶液との間で熱交換を行う低温熱交換器４９が設けられている。なお、冷却水管路３９は、吸収器９から凝縮器５を通り図示していない冷却塔に冷却水が循環するように配管されている。
【００２３】
ここまで説明した構成は、排ガス焚き再生器を備え、また、稀溶液管路を通流する稀溶液の一部を分岐管路によって中間濃溶液を通流する濃溶液と混合して低温再生器に送るバイパスフロー型の公知の吸収式冷温水機の構成と同じであるが、本実施形態の吸収式冷温水機には、排ガスが通流する排出ダクト１５に排ガスと稀溶液との間で熱交換を行って排ガスの熱を稀溶液に回収するための排ガス熱回収器５１が設けられている。
【００２４】
すなわち、排ガス熱回収器５１は、排ガスが通流する熱交換流路５１ａと、稀溶液が通流する熱交換流路５１ｂとを有している。そして、排ガス熱回収器５１は、排ガス流路の排ガス焚き再生器１よりも排ガスの流れに対して下流側、つまり排出ダクト１５に設けられている。排ガス焚き再生器１から排出された排ガスを排ガス熱回収器５１に導く排出ダクト１５の部分、そして排ガス熱回収器５１から排ガスを排出する排出ダクト１５の部分が、各々、排ガス熱回収器５１の排ガスが通流する熱交換流路５１ａに連結されている。稀溶液管路２５は、稀溶液管路２５の低温熱交換器４９と高温熱交換器４７との間の部分で排ガス熱回収器５１の稀溶液が通流する熱交換流路５１ｂに連結されている。
【００２５】
このような構成の吸収式冷温水機の排ガス熱回収器５１に関連する動作と本発明の特徴部について説明する。吸収式冷温水機の吸収器９で冷媒蒸気が濃溶液に吸収されることで生成された稀溶液は、ポンプ２７の駆動により稀溶液管路２５に流入し、まず低温熱交換器４９で低温再生器３で生成された濃溶液と熱交換を行い、例えば７４℃程度に昇温される。次に、低温熱交換器４９で昇温された稀溶液は、排ガス熱回収器５１で排ガス焚き再生器１で熱回収されて温度が低くなった排ガスと熱交換を行う。
【００２６】
ここで、排ガスを発生する機器類が、例えばマイクロガスタービンなどである場合、その排ガスの温度は、２５０℃〜３００℃程度となる。そして、２５０℃〜３００℃程度の温度の排ガスは、排ガス焚き再生器１内の稀溶液と熱交換して稀稀溶液を加熱することで、１７０℃〜１８０℃程度まで温度が低下する。この１７０℃〜１８０℃程度の温度の排ガスが排ガス熱回収器５１に流入する。したがって、排ガス熱回収器５１では、例えば１７０℃〜１８０℃程度の温度の排ガスと７４℃程度の稀溶液との間で顕熱で熱交換が行われることになり、稀溶液は、１２０℃程度まで昇温される。一方、排ガスは、排ガス熱回収器５１で１１０℃〜１２０℃程度に温度が低下し、排出ダクト１５を介して、外部に排出される。
【００２７】
最後に、排ガス熱回収器５１で例えば１２０℃程度まで昇温された稀溶液は、高温熱交換器４７で排ガス焚き再生器１で生成された濃溶液と熱交換を行い、１４０℃以上に昇温され、排ガス焚き再生器１に送られる。排ガス焚き再生器１では、１４０℃以上に昇温された稀溶液が排ガスからの入熱で加熱され、稀溶液中の冷媒が沸騰し、蒸発することで、冷媒蒸気と濃縮された濃溶液が生成される。
【００２８】
このように、本実施形態の吸収式冷温水機では、排ガス熱回収器５１で排ガス焚き再生器１を出た排ガスと低温熱交換器を出た稀溶液との間で熱交換を行うが、排ガス焚き再生器１を出た排ガスと低温熱交換器を出た稀溶液との温度差は比較的大きい。このため、顕熱であっても、稀溶液に排ガスから回収できる熱量が増大し、排熱源から発生する排熱の利用効率を向上できる。一方、吸収式冷温水機の構成の変更としては、排ガスと稀溶液との間で顕熱として熱交換を行う排ガス熱回収器５１を排出ダクト１５に設け、稀溶液管路２５を延長して排出ダクト１５に設けた排ガス熱回収器５１に連結するだけで済む。また、制御においては、溶液流量や濃度などのサイクルバランスを維持するための制御を行う必要がなく、ほとんど変更の必要がない。したがって、構成や制御が複雑化するのを抑えながら排熱の利用効率を向上できる。
【００２９】
さらに、排熱の利用効率を向上できることにより、省エネルギー性をより向上できる。加えて、構成や制御が複雑化するのを抑えているため、コストの増大を抑えることができる。さらに、排ガス焚き再生器１に入る稀溶液の温度を上昇できるため、ＣＯＰや冷房出力を向上できる。加えて、排ガス熱回収器５１は、顕熱を回収するものであり、再生器のように沸騰を伴わないため、構造を再生器に比べて簡素化でき、また、伝熱管などを用いる場合、その配設状態に対する制約がない。
【００３０】
また、本実施形態では、排ガス焚き再生器１のみを備えた吸収式冷温水機を例示している。しかし、排ガス焚き再生器１に加えて、排ガスの熱量が不足しているときや無いときに、空調負荷などの負荷に対応して吸収式冷温水機を運転できるようにバーナの燃焼熱を熱源とする直焚き再生器を備えた構成にすることもできる。
【００３１】
例えば、図２に示すように、排ガス焚き再生器１と直列で、排ガス焚き再生器１から気液分離器３１への冷媒蒸気や溶液の流れに対して下流側に直焚き再生器５３を設けた構成にすることもできる。このとき、揚液管路２９は、直焚き再生器５３に連結されている。さらに、排ガス熱回収器５１は、排ガス流路の排ガス焚き再生器１よりも排ガスの流れに対して下流側、つまり排出ダクト１５に設けられている。排ガス焚き再生器１から排出された排ガスを排ガス熱回収器５１に導く排出ダクト１５の部分、そして排ガス熱回収器５１から排ガスを排出する排出ダクト１５の部分が、各々、排ガス熱回収器５１の排ガスが通流する熱交換流路５１ａに連結されている。稀溶液管路２５が、稀溶液管路２５の低温熱交換器４９と高温熱交換器４７との間の部分で排ガス熱回収器５１の稀溶液が通流する熱交換流路５１ｂに連結されている点は、本実施形態と同じである。また、その他の構成は、本実施形態と同じであるので、同じ符号を付して説明を省略する。
【００３２】
（第２の実施形態）
以下、本発明を適用してなる吸収式冷温水機の第２の実施形態について図３乃至図５を参照して説明する。図３は、本発明を適用してなる吸収式冷温水機の概略構成を示す図である。図４は、本発明を適用してなる吸収式冷温水機に設置した排ガス焚き再生器と排ガス熱回収器とからなるユニットの概略構成を断面で示す（ａ）は平面図、（ｂ）は正面図である。図５は、本発明を適用してなる吸収式冷温水機の外観を示す斜視図である。なお、本実施形態では、第１の実施形態と同一の構成などには同じ符号を付して説明を省略し、第１の実施形態と相違する構成や特徴部などについて説明する。
【００３３】
本実施形態の吸収式冷温水機が第１の実施形態と相違する点は、排ガス焚き再生器と排ガス熱回収器を一体に形成して一つのユニットとし、さらに、この排ガス焚き再生器と排ガス熱回収器などからなるユニットを低温再生器、凝縮器、蒸発器、そして吸収器などからなるユニット上に載置したことにある。すなわち、本実施形態の吸収式冷温水機は、図３に示すように、低温再生器３、凝縮器５、蒸発器７、そして吸収器９などからなる第１ユニット１１上に、排ガス焚き再生器５５と排ガス熱回収器５７とを一体にユニット化した第２ユニット５９が載置されている。第２ユニット５９は、排ガス焚き再生器５５に導入ダクト１３が、排ガス熱回収器５７に排出ダクト１５が連結された状態となっている。
【００３４】
また、本実施形態では、排ガスの熱量が不足しているときや無いときに、空調負荷などの負荷に対応して吸収式冷温水機を運転できるようにバーナの燃焼熱を熱源とする直焚き再生器６１を備えている。稀溶液管路２５は、第２ユニット５９の排ガス焚き再生器５５に連結されている。排ガス焚き再生器５５と直焚き再生器６１との間には、排ガス焚き再生器５５内の溶液を直焚き再生器６１に導く溶液管路６３が設けられている。さらに、排ガス焚き再生器５５と気液分離器３１との間には、排ガス焚き再生器５５内で発生した冷媒蒸気を気液分離器３１内に導く冷媒蒸気管路６５が設けられている。
【００３５】
ここで、排ガス焚き再生器５５と排ガス熱回収器５７とを一体にユニット化した第２ユニット５９の構造について説明する。第２ユニット５９は、図４に示すように、内部が空洞の筐体５９ａ、筐体５９ａの両端に設けられた連結部５９ｂ、５９ｃ、排ガス焚き再生器５５を構成するジャケット状に形成された上側ヘッダ室５５ａ及び下側ヘッダ室５５ｂ、排ガス焚き再生器５５を構成する伝熱管５５ｃ、そして排ガス熱回収器５７を構成する伝熱管５７ａなどで形成されている。筐体５９ａは、平たく一方向に延在する直方体の両端部に、この両端部の端に向かうに連れて漸次側面間の幅が縮小するテーパー状の部分を介して連結部５９ｂ、５９ｃが各々設けられた形状となっている。筐体５９ａの内部の空間は、連結部５９ｂ、５９ｃのいずれか一方から流入して他方から流出する排ガスの流路５９ｄとなる。なお、第２ユニット５９は、筐体５９ａの幅が広い面を上面及び下面に、幅が狭い面を両側面として設置される。
【００３６】
排ガス焚き再生器５５は、筐体５９ａの連結部５９ｂ側の約半分の部分に形成されている。この部分の筐体５９ａの上面側及び下面側には、各々、ジャケット状に上側ヘッダ室５５ａ及び下側ヘッダ室５５ｂが形成されている。上側ヘッダ室５５ａと下側ヘッダ室５５ｂとは、筐体５９ａの上面と下面との間に並行に設けられ、筐体５９ａ内の流路５９ｄに上下方向に挿通された複数の伝熱管５５ｃによって連通している。伝熱管５５ｃは、外表面に複数の円盤状の伝熱フィン５５ｄが設けられた直管状の、いわゆるフィンチューブ式の伝熱管である。
【００３７】
排ガス熱回収器５７は、筐体５９ａの連結部５９ｃ側の約半分の部分に形成されている。この部分の筐体５９ａの対向する側面間には、並行に、筐体５９ａ内の流路５９ｄに横方向に挿通された複数の伝熱管５７ａが配設されている。伝熱管５７ａは、両端部が筐体５９ａの対向する側面から外側に突出しており、稀溶液管路２５が連結される伝熱管５７ａの端部を除いて、隣り合う伝熱管５７ａの端部が半円弧状に形成された連結管５７ｂで連結され、蛇行する稀溶液の流路を形成している。伝熱管５７ａも、表面に複数の円盤状の伝熱フィン５７ｃが設けられた直管状の、いわゆるフィンチューブ式の伝熱管である。
【００３８】
連結部５９ｂ、５９ｃの端部には、各々、鍔状のフランジ部５９ｅ、５９ｆが形成されており、このフランジ部５９ｅ、５９ｆによって導入ダクト１３及び排出ダクト１５のいずれかが連結される。本実施形態では、排ガス焚き再生器５５を排ガスの流れに対して上流側に、排ガス熱回収器５７を下流側にしているため、排ガス焚き再生器５５側の連結部５９ｂには、導入ダクト１３が、排ガス熱回収器５７側の連結部５９ｃには、排出ダクト１５が、各々連結されている。
【００３９】
このように、第２ユニット５９が、排ガス焚き再生器５５を上流側に、排ガス熱回収器５７を下流側にして連結されている場合、排ガス焚き再生器５５の下側ヘッダ室５５ｂの筐体５９ａ内の排ガスの流れに対して下流側に設けられた図示していない連結口部には、稀溶液管路２５の一端が、下側ヘッダ室５５ｂの上流側に設けられた図示していない連結口部には、溶液管路６３の一端が、各々連結される。また、排ガス熱回収器５７の筐体５９ａ内の排ガスの流れに対して下流側に位置する伝熱管５７ａの連結端部には、低温熱交換器４９からの稀溶液管路２５が、上流側に位置する伝熱管５７ａの連結端部には、高温熱交換器４７への稀溶液管路２５が、各々連結される。なお、排ガス焚き再生器５５の上側ヘッダ室５５ａには、上側ヘッダ室５５ａ内の冷媒蒸気を気液分離器３１に導く冷媒蒸気管路６５が連結されている。
【００４０】
このように各管路２５、６３などを連結することによって、排ガス焚き再生器５５では、筐体５９ａ内の排ガスの流れに対して下流側から下側ヘッダ室５５ｂに稀溶液を入れ、上流側から下側ヘッダ室５５ｂに濃溶液を出すことになる。また、排ガス熱回収器５７では、筐体５９ａ内の排ガスの流れに対して下流側に位置する伝熱管５７ａに稀溶液を入れ、上流側に位置する伝熱管５７ａから稀溶液を出すことになる。すなわち、排ガス熱回収器５７では、伝熱管５７ａと連結管５７ｂで形成された稀溶液の流路の、筐体５９ａ内の排ガスの流れに対して下流側から稀溶液を入れ、上流側から稀溶液を出すことになる。これにより、熱交換効率が向上し、排ガスからの熱回収率が向上する。
【００４１】
このような第２ユニット５９を第１ユニット上に載置した本実施形態の吸収式冷温水機は、図５に示すように、下側に位置する第２ユニット１１を覆うパネル６７と、第１ユニット５９を覆うパネル６９とにより、外観が１つの四角柱状に形成されている。第２ユニット１１を覆うパネル６７と、第１ユニット５９を覆うパネル６９とは、第２ユニット１１と第１ユニット５９を囲う四角柱状に組んだ棒状の鋼材などからなる枠体に取り付けられたものである。第２ユニット１１を覆う各パネル６７には、上側寄りに、通気口となるガラリ７１が形成されている。なお、図５には図示していないが、第２ユニット５９の上方には天井パネルが設置される。
【００４２】
このように本実施形態の吸収式冷温水機でも、第１の実施形態と同じ効果を得ることができる。さらに、本実施形態の吸収式冷温水機では、排ガス焚き再生器５５と排ガス熱回収器５７とを排ガスの流路を共通化させて一体に形成した第２ユニット５９としているため、排ガス熱回収器５７を設けることによるコストの上昇を抑えることができ、また、排ガス熱回収器を単独で設けた場合に比べ、排ガス熱回収器を小型化できる。加えて、排ガス熱回収器を設ける際、第２ユニット５９を排ガスの流路に設置し、稀溶液管路２５を第２ユニット５９の排ガス熱回収器５７の部分まで延長するだけで済むため、構成が複雑化するのをより抑えることができる。
【００４３】
さらに、排ガス熱回収器５７に形成された稀溶液が通流する伝熱管５７ａと連結管５７ｂで形成された稀溶液流路の入口を筐体５９ａ内の排ガスの流路５９ｄにおける排ガスの流れに対して下流側に、稀溶液流路の出口を上流側に設けている。このため、排ガス熱回収器５７での熱回収率を向上でき、排熱の利用効率をより向上できる。
【００４４】
さらに、排ガス熱回収器５７の稀溶液が通流する稀溶液流路が並行に配置された複数の直管状の伝熱管５７ａを有し、伝熱管５７ａは、排ガス熱回収器５７内に横方向に配設されている。このため、顕熱で熱を回収する排ガス熱回収器の構成を簡素化できることにより、コストをより低減できる。また、伝熱管の長さ、段数、列数に自由度があるため、設置スペースに応じて高さを調整でき、設置場所に対する制約を低減できる。さらに、排ガス熱回収器５７部分の高さを低くできるため、小型化できる。加えて、排ガス熱回収器５７の稀溶液が通流する稀溶液流路が並行に配置された複数の直管状の伝熱管５７ａを有している場合、伝熱管５７ａの長さを長くすることで、伝熱管の設置本数を低減でき、コストを抑えることができる。
【００４５】
さらに、第１ユニット１１の上に、第２ユニット５９を載置しているため、第２ユニット５９の排ガス焚き再生器５５と排ガス熱回収器５７から放出される熱は、第２ユニット５９の上方または側方に逃げる。このため、第２ユニット５９から放出される熱が第１ユニット１１に影響し難い。したがって、第２ユニット５９から放出される熱の影響による第１ユニット１１内の温度の上昇が起こり難く、第１ユニット１１内の部品の信頼性を向上し、故障の要因を低減できる。加えて、第２ユニット５９を設けても、第１ユニット１１のみの場合の設置面積と変わらず設置面積が増加を抑制できるため、設置場所に対する制約を低減できる。
【００４６】
また、本実施形態では、バイパスフロー型の吸収式冷温水機の構成を例として示したが、本発明は、バイパスフロー型に限らず、シリーズフロー型やパラレルフロー型の吸収式冷温水機などにも適用することができる。
【００４７】
例えば、シリーズフロー型の吸収式冷温水機では、図６に示すように、本実施形態のバイパスフロー型の吸収式冷温水機とほぼ同じ構成であるが、稀溶液管路２５から分岐し、中間濃溶液管路３５に合流する分岐管路４５が設けられていない点で構成が異なる。また、第２ユニット５９の構成や設置位置、排ガス熱回収器５７への稀溶液管路２５の連結位置などは本実施形態と同じである。
【００４８】
一方、パラレルフロー型の吸収式冷温水機では、図７に示すように、気液分離器３１とは別に、副気液分離器７３が設けられている。そして、気液分離器３１と副気液分離器７３との間には、本実施形態の中間濃溶液管路３５に代えて、気液分離器３１で分離した濃溶液を副気液分離器７３に導く第１濃溶液管路７５が設けられている。この第１濃溶液管路７５に高温熱交換器４７が設けられている。副気液分離器７３には、副気液分離器７３でさらに気液分離して得た濃溶液を吸収器９に導く第２濃溶液管路７７の一端が連結されている。第２濃溶液管路７７の他端は、吸収器９に連結されている。この第２濃溶液管路７７に低温熱交換器４９が設けられている。また、副気液分離器７３には、副気液分離器７３でさらに気液分離して得た冷媒蒸気を凝縮器５に導く副冷媒蒸気管路７９の一端が連結されている。副冷媒蒸気管路７９の他端は、凝縮器５に連結されている。
【００４９】
稀溶液管路２５の低温熱交換器４９と排ガス熱回収器５７との間の部分には、稀溶液管路２５から分岐する分岐管路８１の一端が連結されている。分岐管路８１の他端は、低温再生器３に連結されている。低温再生器３と第２濃溶液管路７７との間には、第２濃溶液管路７７に合流する溶液管路８３が設けられている。分岐管路８１から低温再生器３に流入した稀溶液は、冷媒蒸気の熱で加熱、濃縮され、溶液管路８３を介して第２濃溶液管路７７に流入し、副気液分離器７３からの濃溶液と混合されて、吸収器９に送られる。その他の構成は、本実施形態の吸収式冷温水機の構成と同じである。
【００５０】
また、第１及び第２の実施形態では、室内機用冷媒として水を例示したが、室内機用冷媒としては様々な冷媒を用いることができる。
【００５１】
また、本発明は、ここで例示した第１及び第２の構成の吸収式冷温水機、また、それらの変形例に限らず、排ガス焚き再生器を備えた様々な構成の吸収式冷温水機に適用することができる。
【００５２】
【発明の効果】
本発明によれば、構成や制御が複雑化するのを抑えながら排熱の利用効率を向上できる。
【図面の簡単な説明】
【図１】本発明を適用してなる吸収式冷温水機の第１の実施形態の概略構成を示す図である。
【図２】第１の実施形態の変形例を示す図である。
【図３】本発明を適用してなる吸収式冷温水機の第２の実施形態の概略構成を示す図である。
【図４】第２の実施形態の吸収式冷温水機に設置した排ガス焚き再生器と排ガス熱回収器とからなるユニットの概略構成を断面で示す（ａ）は平面図、（ｂ）は正面図である。
【図５】本発明を適用してなる吸収式冷温水機の第２の実施形態の外観を示す斜視図である。
【図６】第２の実施形態の変形例としてシリーズフロー型の吸収式冷温水機を示す図である。
【図７】第２の実施形態の変形例としてパラレルフロー型の吸収式冷温水機を示す図である。
【符号の説明】
１  排ガス焚き再生器
３  低温再生器
５  凝縮器
７  蒸発器
９  吸収器
１３  導入ダクト
１５  排出ダクト
２５  稀溶液管路
４７  高温熱交換器
４９  低温熱交換器
５１  排ガス熱回収器
【図１】
2004239558.tif 000003
【図２】
2004239558.tif 000004
【図３】
2004239558.tif 000005
【図４】
2004239558.tif 000006
【図５】
2004239558.tif 000007
【図６】
2004239558.tif 000008
【図７】
2004239558.tif 000009